(57)【要約】      （修正有）【課題】車両等で筆記用具と駐車場券又は伝票、領収書、写真、写真入り額縁等、入院・介護施設等の患者や利用者等の臨床ベッドで服薬等記録書類をペアで、対で固定する多目的フックを提供する。【解決手段】ゴム管３を履かせた針金２でコイル状の筆記用具固定部５を２本連装で作る、且つ筆記用具固定部とフック部１の間でメモ帳８、駐車券、伝票、領収書等の書類を挟み固定する。【選択図】図１
2014205337.tif 000002
【特許請求の範囲】
【請求項１】
フック等で掛ける筆記用具と他の頻繁に使用する物とのペア、対で又はどちらか単独で固定することが可能な器具。
【請求項２】
さらに、フック等で掛ける針金による請求項１の固定器具
【請求項３】
さらに、フック等で掛けるゴム管を履かせた請求項１の固定器具。
【請求項４】
さらに、筆記用具と駐車券、運送等伝票、ガソリンスタンド等領収書、テイッシュや除菌テイッシュ、写真や写真入り額縁等筆記用具と通常共に使用する書類をペア、対で又はどちらか単独で固定することが可能な請求項１の固定器具。
【請求項５】
さらに、筆記用具は、１本又は複数の筆記用具を固定することが可能な請求項１の固定器具。
【請求項６】
さらに、写真や写真入り額縁等を固定する際は、フック部を前後逆に曲げ、筆記用具固定部を前後逆から固定し、写真や写真入り額縁が筆記用具固定部で見ることを妨げないように調整可能なように、固定する物に応じフック部等を調整可能な請求項１の固定器具。
【請求項７】
さらに、自家用車等車両の車内等の空調機の排気口等にフックで掛けるように、フックで掛けることが可能な他箇所に掛けることが可能な請求項１の固定器具
【請求項８】
さらに、入院・介護施設等の患者や利用者等の臨床での服薬等記録書類等をベッド等のパイプ等に掛けるように、フックで掛けることが可能な他箇所に掛けることが可能な請求項１の固定器具
【請求項９】
さらに、図では、図が意味するのを明らかにする為、敢えて大きめに表現したが、大小の寸法をも含む請求項１の表示。
【発明の詳細な説明】
【技術分野】
【０００１】  本発明は、フック等で掛けるゴム管針金による、車両等の車内の筆記用具とメモ用紙又は駐車場券、伝票、領収書、写真、写真入り額縁等をペアで固定する、多目的フックに関するものである。
【技術背景】
【０００２】  自家用車を運転し休日にデパートに買い物をしに行き、立体駐車場の入場する際駐車券を発券され、両手がハンドルを握り締めている運転中の状態であるので、停車し発見機から発券を受け、取り敢えず自分の服のシャツの胸ポケットに入れたり、車内のダッシュボードや運転席シートと助手席シートとの間の多目的ボックスに入れたりするが、駐車場に自家用車を駐車し終えた後で、駐車券を自分の服の胸ポケットを探したり、車内のダッシュボードや多目的ボックス内、そこに見当たらなければ車内のブレーキ類のある足元や他の場所をあわてて探すことがある。これは、駐車券を紛失すると退場できなかったり高額な駐車料金を請求されることがあるのもひとつの理由であるが、駐車券が手のひらサイズの小さな紙片であるため、所在が一度どこかへ収納し、運転や駐車場の駐車ロットの空き探索及び駐車に気をとられ収納場所を忘却すると、どこへ行ったか探し出すのに苦労することがある。このような、寸法の小ささゆえに収納場所は容易に車内に見つかるものの、一度所在を見失うと探し出すのに苦労する物、また筆記用具だけ、メモ帳だけ見つかって、片方がないために用が足せず、結局車を近くのコンビニエンスストアに止め泣く泣く新たに買うことがある。必要なときにすぐに取り出す容易性に優れた、よく使う二つの異なる物を固定するフック状の器具が狭い車内にあれば、駐車場の車両操作等運転操作等により一層集中し安心して運転に集中することも可能である。そのような寸法が小さく、すぐに分かる認識性とすぐに取り出せる容易性がある物は、自家用車内では、筆記用具とメモ用紙又は駐車場券、運送等伝票、ガソリンスタンドの領収書、テイッシュや除菌テイッシュ、花見の桜等写真又は写真入額縁等が考えられる。そして、筆記用具とメモ用紙又は駐車場券、、伝票、領収書、写真、写真入り額縁等をペアで固定できれば尚便利である。
【０００３】自家用車等の車内にて、筆記用具、駐車券又は写真等の薄いものを固定する、先人の優れた考案が既になされている。
［実用新案出願平６−１０５５８］
［実用新案公開平６−６５１００］
［登録実用新案第３０７７７１９号］
［特許公開２００６−４３０１２］
［特許公開平１１−３４２７９６］
しかし、小生のような車内のダッシュボードが広くない、恵まれない車内環境にて、筆記用具とメモ帳、駐車場券、運送等伝票、ガソリンスタンド等領収書、テイッシュ又は除菌テイッシュ、写真又は写真入り額縁頻繁に使用する筆記用具とメモ帳等といった異なる物をペア・対でセットで固定する器具、また筆記用具は使おうとする際落下し座席の下やサイドブレーキの付け根、運転席と助手席の座席の間、座席とドアとの間に入り込み、肝心なときに取り出せず使えないことがあるため、それに備え２本の筆記用具を連装で固定し片方をバックアップ用とし、且つ針金による工作容易性や軽量性、運転中に足元に落とした際のフットブレーキ類の操作を妨げない、耐水性、安価な固定器具を見出すことが出来なかった。
また、筆記用具のみ、又は小物入れのみどちらか一方を収納するポケット形状の固定器で、プラスチック製品であり、両面テープなどで自家用車等車両のダッシュボード等に固定する製品が、既に市販されている。異なる頻繁にペアで使う二つの物、筆記用具とメモ帳といったペアの、対で使用する物を同時に固定する、両面テープ類等と違い、真夏の炎天下や真冬の氷点下、又は経年劣化で剥がれることもある固定具とは別の経年劣化しない固定具で据えつける固定器具を見出すことが出来なかった。
【０００４】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がついた。
【０００５】  それらを、ゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具になるのではないかと考えた。
【０００６】  耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能である。
【発明が解決しようとする課題】
【０００７】  自家用車を運転し休日にデパートに買い物をしに行き、立体駐車場の入場する際駐車券を発券され、両手がハンドルを握り締めている運転中の状態であるので、停車し発見機から発券を受け、取り敢えず自分の服のシャツの胸ポケットに入れたり、車内のダッシュボードや運転席シートと助手席シートとの間の多目的ボックスに入れたりするが、駐車場に自家用車を駐車し終えた後で、駐車券を自分の服の胸ポケットを探したり、車内のダッシュボードや多目的ボックス内、そこに見当たらなければ車内のブレーキ類のある足元や他の場所をあわてて探すことがある。これは、駐車券を紛失すると退場できなかったり高額な駐車料金を請求されることがあるのもひとつの理由であるが、駐車券が手のひらサイズの小さな紙片であるため、所在が一度どこかへ収納し、運転や駐車場の駐車ロットの空き探索及び駐車に気をとられ収納場所を忘却すると、どこへ行ったか探し出すのに苦労することがある。このような、寸法の小ささゆえに収納場所は容易に車内に見つかるものの、一度所在を見失うと探し出すのに苦労し、また筆記用具だけ、メモ帳だけ見つかって、片方がないために用が足せず、結局車を近くのコンビニエンスストアに止め泣く泣く新たに買うことがある。必要なときにすぐに取り出す容易性に優れた、よく使う二つの異なる物を固定するフック状の器具が狭い車内にあれば、駐車場の車両操作等運転操作等により一層集中し安心して運転に集中することも可能である。そのような寸法が小さく、すぐに分かる認識性とすぐに取り出せる容易性がある物は、自家用車内では、筆記用具とメモ用紙又は駐車場券、運送等伝票、ガソリンスタンドの領収書、テイッシュや除菌テイッシュ、花見の桜等写真又は写真入額縁等ペア、対で使用することが考えられる。
【課題を解決するための手段】
【０００８】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を  転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具、駐車場券、伝票、領収書、写真、写真入り額縁等を固定する、多用途固定器具として有効ではないかと気がついた。
【０００９】  それらを、ゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具になるのではないかと考えた。
【００１０】  耐水性があるから、冷房時の結露もフック部分に影響なく、またこのフックによる固定器具は、自家用車等車両内の駐車券や筆記用具、メモ用紙等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。
それらを、ゴム管を履かせた針金で作る２連装の筆記用具を固定するコイルにて固定する器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具になるのではないかと考えた。耐水性があるから、冷房時の結露もフック部分に影響なく、またこのフックによる固定器具は、自家用車等車両内の筆記用具とメモ用紙又は駐車券、伝票、領収書、写真や写真入額縁等のペアの固定のみならず、入院・介護施設等の患者や利用者等の臨床での服薬等記録書類のベッド等への固定器具応用可能である。
【００１１】  固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能である。
【発明の効果】
【００１２】  自家用車等車両の運転席、エアコン排気口に、フック等で掛けるゴム管を履かせた針金による、車両等の筆記用具とメモ帳、駐車場券、駐車場券、運送等伝票、ガソリンスタンド等領収書、写真や写真入り額縁等の頻繁に必要とされる異なる二つの物をペアで、対で固定することが可能な器具ができた。且つ筆記用具は、並列２列の連装固定としたため、車両の走行中の振動で片方が万が一急ブレーキなど急激な操作で落下・紛失してももう片方が残る可能性をも考慮した。またゴム管は、対衝撃性・防音性・振動によりフック部が車両を傷つけることを防ぐこと、落下したときの破損を防ぐ弾力性を持たせた。フックで掛けるため、器具本体の着脱製、ハンドル左右にも対応可能、空調機排気口はどこでもフックによる掛けることが可能である。また、空調機排気口以外のフック可能な場所なら、使用は可能である。窓際の排気口開閉窓からの駐車券の出し入れの容易性、針金による器具で隠れるダッシュボード操作ボタン類の視界を妨げづらいこと、また万が一妨げそうになった際は、針金を曲げればよい工作容易性がある。固定する物が、筆記用具とメモ帳、駐車場券、伝票、領収書等なら筆記用具固定部は固定する物の前面で支え固定し、写真や写真入額縁なら、フックを前後逆に曲げ、写真や写真入額縁を後ろから支え固定する形とし写真や写真入額縁を見ることを妨げない形状の変更も可能である。また、フックで掛ける場所は、自家用車等車両の運転席の空調機排気口のみならず、フックにて掛けることが可能な他でもその場所の用途に応じ多目的に使用が可能である。
入院・介護施設での患者・利用者のベットのパイプに引っ掛け、服薬記録・介護記録など記録書類を筆記用具と共に固定する使用の仕方も可能である。
【図面の簡単な説明】
【００１３】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の斜見図である。
【図１２】本発明の断面図である。
【発明を実施するための形態】
【００１４】  本発明を実施するための形態を説明する。
【符号の簡単な説明】
１  フック部
２  針金
３  ゴム管
４  筆記用具
５  筆記用具固定部
６  固定部
７  自家用車等車両の空調機排気口
８  メモ帳
９  伝票
１０  駐車場券
１１  領収書
１２  ポケットテイッシュ
１３  写真入額縁
１４  写真
１５  自家用車等車両のダッシュボード
１６  病院・介護施設等の患者・利用者ベットの頭・足又は左右どちらかの側のパイプ
【図１】
2014205337.tif 000003
【図２】
2014205337.tif 000004
【図３】
2014205337.tif 000005
【図４】
2014205337.tif 000006
【図５】
2014205337.tif 000007
【図６】
2014205337.tif 000008
【図７】
2014205337.tif 000009
【図８】
2014205337.tif 000010
【図９】
2014205337.tif 000011
【図１０】
2014205337.tif 000012
【図１１】
2014205337.tif 000013
【図１２】
2014205337.tif 000014